(57)【要約】      （修正有）【課題】少ない水でも効率よく揚水でき、広い範囲に放水のできる水循環放水器を提供する。【解決手段】矩形の受皿の背面一方の隅を部分的に下へ窪ませて水の溜り部５を設け、溜り部５に溜まった水が重りの役目を果たして溜り部５方向へ低く傾斜し、受皿１に降り注いだ水が溜り部５へ集まる。溜り部５に集まった水をポンプ２で揚水し、ホース３で導水して連結具１２を介して散水棒６へ水が送られる。散水棒６には複数の放水穴４が開いており、散水棒６の長さによって拡散された状態で放水される。放水された水は陳列物の傘を濡らし、陳列物の模様を該濡らしによって浮かび上がらせる。放水された水は受皿１で受け止められ、溜り部５に集められて揚水され、前記の繰り返しによって水が循環する。【選択図】図１
0003164727.tif 000002
【実用新案登録請求の範囲】
【請求項１】
受皿１の中にある水をポンプ２で揚水し、ホース３で導水された水が放水穴４から放水され、少ない水でも揚水が容易になる構造にし、広い範囲で放水することを特徴とする水循環放水器。
【請求項２】
少ない水でも揚水が容易になる構造として、受皿１の片隅一箇所に窪み形状の溜り部５を設け、該溜り部５に溜まった水は重りの役目を果たして受皿１全体の水を集める働きを成し、該溜り部５に集まった水をポンプ２で揚水することを特徴とする請求項１記載の水循環放水器。
【請求項３】
広い範囲で放水する構造として、ホース３の先に散水棒６を設け、該散水棒６の側面に複数の放水穴４を開け、該散水棒６の長さの範囲内で放水範囲が広くなることを特徴とする請求項１または請求項２記載の水循環放水器。
【考案の詳細な説明】
【技術分野】
【０００１】  本考案は、水を循環させて使用する放水器に関するものである。
【背景技術】
【０００２】  従来の水循環放水器なる物は、先行技術文献で示した洗浄水循環ユニットがあり、洗浄水溜りの最深溜りの底から下へ突き抜けて出たホースが連結されており、該ホースの途中にポンプを有し、該ポンプによって貯水槽へ揚水される仕組みであった。
【先行技術文献】
【特許文献】
【０００３】
【特許文献１】特開２００２−２９２３４８号公報
【考案の概要】
【考案が解決しようとする課題】
【０００４】  従来の水循環装置は、水溜り槽の底壁を突き抜けてホースが連結しているので、沈殿したゴミなどの異物をそのまま吸い込んでしまい、放水される水を広い範囲に散水する機能は無かった。本考案では、従来技術の問題解決を課題にする。
【課題を解決するための手段】
【０００５】  受け皿の背面片隅に設けた溜り部に溜まった水が重りの役目を果たして受皿全体の水を集め、溜り部に溜まった水をポンプで揚水してホースで導水し、ホースの先に連結した散水棒で広い範囲に放水し、放水された水は陳列物に当たって受皿に落ち、受皿に落ちた水が溜り部に集められ、再び揚水することを最も主要な特徴とする。
【考案の効果】
【０００６】  受皿の背面片隅に溜り部を設けたことで、ホースを背柱に沿わせて、場合によっては背柱で隠すこともできるので、ホースを正面から目立ち難くできる。溜り部に溜まった水が重りの役目を果たすので、受皿の如何なる場所に落ちた水であっても、溜り部に水を集める事ができる。溜り部槽の底壁を突き抜けずに揚水しているので、ゴミなどの異物は溜り部槽に沈殿するので異物を除去できる。散水棒によって広い範囲に水を放水できるので、雨などのような散水が可能になる。以上前記の利点がある。
【図面の簡単な説明】
【０００７】
【図１】図１は正面斜視図である。（実施例１）
【図２】図２は陳列状態正面斜視図である。
【考案を実施するための形態】
【０００８】  水を循環させて、雨のように散水のできる放水器を実現した。
【実施例１】
【０００９】  図１は正面斜視図であり、角棒を立方体に組んで枠体７を設け、該枠体７の床面に受皿１を設置する。該受皿１は四隅を柱体８で適宜に持ち上げられていることが望ましく、該柱体８の正面二本を前柱９とし、背面二本を背柱１０とする。該受皿１の設置構造は、四つ角を柱体８で直接固定しても良いし、柱体８の下どうしを連絡する床枠１１を介して固定しても良い。【００１０】  受皿１の背面一方の隅を下へ適宜に窪ませて溜り部５を設け、該溜り部５の形状は限定ではないが、立方体を含む直方体の窪みであることが望ましく、その窪みの深さは適宜であり、ポンプ２が沈んで取水できる深さならば問題なく、五ｃｍから十ｃｍ程度の深さで充分である。該受皿１の素材は金属製であっても人工樹脂製であっても良く、適宜に歪む素材であっても問題なく、該受皿１の底壁が適宜に歪む強度であるならば、溜り部５に溜まった水の重みを利用して、該受皿１上の水を該溜り部５に集めることができる。【００１１】  溜り部５に集まる水をポンプ２で揚水し、ホース３で導水し、連結具１２を通って散水棒６へ導水し、該散水棒６に有する放水穴４から放水される。該散水棒６は適宜な長さを有する管になった棒であり、該散水棒６の側面には複数の放水穴４が開けられており、複数の放水穴４によって、水が拡散されて、広い範囲で放水され、雨のように散水できる。該散水棒６の長さは限定ではなくて、適宜であっても良いが、散水する対象物は開いた雨傘が望ましいことから、該散水棒６の長さは一ｍ（メートル）程度が望ましい。該散水棒６に開ける複数の放水穴４どうしの位置関係は限定ではなく、無秩序であっても良いが、一直線上に等間隔で放水穴４を開けるのが望ましい。該放水穴４の大きさは適宜であっても良く、揚水されて来る水圧によって調節するのであり、雨粒程度の放水ができる穴の大きさが望ましい。【００１２】  散水棒６の取り付け構造は限定ではなく、枠体７の高さが充分高い場合は、枠体７の側面上部に位置する側桁１３へ逆さひの字形状の固定具１４で固定しても良い。枠体７が任意の高さまで達していない場合は、側桁１３にもたげ具１５を設け、該もたげ具１５によって散水棒６を任意の高さまで持ち上げて設置する。散水棒６の一方の端は連結具１２によって導水されており、他方の端は水が零れ出ないように止水用の栓１６で密閉する。【００１３】  背柱１０は前柱９よりも適宜に長くし、前後柱の比率は限定ではないが、前柱９に対して背柱１０は倍程度の長さであることが望ましく、その長くなった領域を延長域１７とする。該延長域１７は、該背柱１０を延長して設ける構造が望ましいのであるが、別個の柱材を設置しても良い。該延長域１７は左右面対象で有していることが望ましく、該延長域１７の間に表示板１８を設置し、枠体７の中の陳列された物の説明を行う。該表示板１８は背柱１０の下端まで有していても良いが、延長域１７の下端どうしを背桁１９で連絡し、該背桁１９の上に表示板１８を設置することが望ましい。【００１４】  図２は陳列状態正面斜視図であり、陳列物２０は限定ではないが、雨のような放水を行って濡らしながら陳列するのが目的であることから雨具であることが望ましく、前記雨具の中でも傘であることが望ましい。陳列物２０を傘として図示し、該陳列物２０の特徴として、濡れると模様２１が浮き出てくる状態を演出するのに本案を用いることが望ましい。模様２１は自由にデザインされた形状であることから限定ではなく、文字であっても良く、実例的に模様２１を花の形で図示している。【００１５】  陳列物２０が濡れて模様２１が浮かび出てくる原理は、模様２１の部分だけが濡れているからである。該濡れ状態を明瞭に演出するために、照明具２２を設けて反射させることが望ましい。該照明具２２の設置場所と構造は限定ではなく、もたげ具１５へ角度を変更できる構造で該照明具２２を設置することが望ましい。【００１６】  散水棒６によって拡散された複数の放水穴４から放水され、陳列物２０の下半分近くが濡れて模様２１が浮かび上がる。陳列物２０の上半分は比較の為に濡らさないことが望ましい。該濡れ状態は時間の経過と共に自然乾燥するのであり、該自然乾燥と共に模様２１は自然に消えて行く。陳列物２０である雨傘は固定したまま動かなくても良いが、傘の柄の部分にモーターなどを取り付け、ゆっくりと自動的に回転する構造にしても良い。【００１７】  複数の放水穴４から出た水滴は受皿１で受け止められ、その落ちた水は図１で示した溜り部５へ流れ込み、ポンプ２で揚水され、ホース３で導水されて、散水棒６の放水穴４から放水され、前記の繰り返しで水は循環する。
【産業上の利用可能性】
【００１８】  本案は陳列物を傘にしているが、他の雨具として、合羽の陳列用途にも適用できる。
【符号の説明】
【００１９】  １    受皿
２    ポンプ
３    ホース
４    放水穴
５    溜り部
６    散水棒
【図１】
0003164727.tif 000003
【図２】
0003164727.tif 000004